(57)【要約】      （修正有）【課題】ランプホルダ−シーリングライトアセンブリの導電係止部材を導電性の電源コネクタの螺合溝に係入して、回り止め係止アセンブリによってランプホルダをロックするシーリングライトの電気的接続及び組立方法を提供する。【解決手段】シーリングライトアセンブリは、電源接続用内側固定部材２１と、電源接続用内側固定部材２１に外嵌され、電源接続用内側固定部材２１をランプホルダに固定するための電源接続用外側固定部材２２と、電源接続用内側固定部材２１と電源接続用外側固定部材２２との空間に内蔵される回り止め係止アセンブリ２３と、電源接続用内側固定部材２１の貫通孔２１５から延出し、電源コネクタ３の螺合溝３１内に係止される係止部材２４を備える。【選択図】図６
2019207776.tif 000002
【特許請求の範囲】
【請求項１】
互いに係止されるランプホルダとカバーとを含むシーリングライトであって、
前記ランプホルダには、天井上の電源コネクタに螺合されるシーリングライトアセンブリが設けられ、
前記シーリングライトアセンブリは、
電源接続用内側固定部材と、
前記電源接続用内側固定部材に外嵌され、前記電源接続用内側固定部材をランプホルダに固定するための電源接続用外側固定部材と、
前記電源接続用内側固定部材と前記電源接続用外側固定部材との空間に内蔵される回り止め係止アセンブリと、
前記電源接続用内側固定部材の貫通孔から延出し、前記電源コネクタの螺合溝内に係止される係止部材と、を備えることを特徴とするシーリングライト。
【請求項２】
前記電源接続用外側固定部材は、
ケースと、
前記ケースの窪み部の底面に凹設され、前記電源接続用内側固定部材の溝に適合する異形溝と、
外側に突出するように前記電源接続用外側固定部材に設けられ、前記回り止め係止アセンブリを位置決めするための円柱溝と、
前記ケースの縁部からそれぞれ対称的に外側へ延伸して形成されるねじ孔付きの取付けパネルと、を備えることを特徴とする請求項１に記載のシーリングライト。
【請求項３】
前記電源接続用内側固定部材は、
パネルと、
前記パネルに凹設される長方形の溝と、
前記溝の１つの短辺において長辺に沿って成形される切欠き部と、
前記切欠き部のザグリ穴に隣接する端に設けられる斜面と、
前記切欠き部及びその対向端にそれぞれ開設され、前記係止部材を挿通するための貫通孔と、
前記斜面の部位に位置する前記パネルに凹設され、前記回り止め係止アセンブリを固設するためのザグリ穴及び対応するロック機構と、
前記パネルの底面から外周に突出するリング状フレームと、
前記貫通孔の付近の前記パネルの底面にそれぞれ設けられ、前記係止部材を固定するためのスタッドと、
前記パネルの縁部からそれぞれ径方向に沿って外側に延伸して形成される対称なＵ状孔付きの取付けパネルと、を備えることを特徴とする請求項１に記載のシーリングライト。
【請求項４】
前記ロック機構は、
前記パネルの底面の前記ザグリ穴の外周に沿って突出し環状となる円弧部材と、
各前記円弧部材同士の間の係止溝と、
隣接する前記係止溝の１つの端壁に設けられる拡径シュート壁と、
前記円弧部材よりも高くなるように前記シュート壁の外側に突出して形成される補強リブと、を備えることを特徴とする請求項３に記載のシーリングライト。
【請求項５】
前記回り止め係止アセンブリは、
柱体と、
前記柱体の一端において径方向に突出して形成されるネックリング体と、
前記ネックリング体から径外方向に突出して形成され、前記ロック機構の前記係止溝内に係止される凸歯と、
前記ネックリング体から軸方向に突出して形成され、前記電源接続用内側固定部材の前記ザグリ穴に係止される段状５角体と、
前記柱体に外嵌されるばねと、
前記柱体の端部の芯軸孔内に螺着されたねじと、
前記柱体の端部に沿って前記柱体に外嵌されるハンドルと、を備えることを特徴とする請求項１又は４に記載のシーリングライト。
【請求項６】
前記係止部材は、
ねじ孔付きのベース部材と、
前記ベース部材の一端に設けられる垂直部材と、
前記垂直部材の端部を前記ベース部材とは逆の方向に垂直に湾曲させて形成される係合部材と、を備えることを特徴とする請求項１に記載のシーリングライト。
【請求項７】
シーリングライトの電気的接続及び組立方法であって、
（１）ロックするとき、ランプホルダ上のシーリングライトアセンブリの１対の導電係止部材を電源コネクタの円弧形状のナイフハンドルのような形の螺合溝に挿入して溝の細端まで回転させ、電源が接続され、回り止め係止アセンブリの凸歯をロック機構の係止溝内に係止させることで、ランプホルダをロックすること、及び、
（２）アンロックするとき、回り止め係止アセンブリの凸歯がロック機構の係止溝から離脱するように回り止め係止アセンブリのハンドルを引き、ランプホルダ上のシーリングライトの１対の導電係止部材を溝の細端から溝の太端まで回転させることで、ランプホルダを電源コネクタから離脱させること、を含むことを特徴とするシーリングライトの電気的接続及び組立方法。
【発明の詳細な説明】
【技術分野】
【０００１】
本発明は、シーリングライト、その電気的接続及び組立方法に関する。
【背景技術】
【０００２】
特許文献１には、ＬＥＤ光源とＬＥＤドライバの一体化を実現し、組み立ての作業を簡素化させ便利させるためのＬＥＤシーリングライトが開示されている。具体的には、シーリングホルダと、シーリングホルダに取り付けられるＬＥＤ光源モジュールと、カバーとを含むＬＥＤシーリングライトを提供する。カバーとシーリングホルダに、互いに接続させるための回転係止構造が設けられ、カバーとシーリングホルダは、回転係止の方式により接続されるため、その組み立ては便利である。ＬＥＤ光源モジュールは、複数の短冊形のＬＥＤ光源パネルと、ＬＥＤドライバとからなり、ドライバカバーの上蓋の側壁の内側面に溝が設けられ、ドライバカバーの基板の縁部に係止エッジが設けられ、係止エッジを対応する溝に係止することにより、上蓋とドライバカバーの基板を係止して接続させる。これにより、ドライバカバーが形成されるため、その組み立ては便利である。ＬＥＤドライバには、複数のスロットが設けられ、ＬＥＤ光源パネルの端部が対応するスロットに挿入されることでＬＥＤドライバと一体になるため、組み立ては簡単であり、取付けも便利である。これにより、製造時の組み立てプロセス及びカバーの取付けプロセルの簡素化が図られたが、使用者がシーリングライトを取り付けるとき、電気的接続とシーリングライトの固定をそれぞれ行わなければならないため、不便である。
【先行技術文献】
【特許文献】
【０００３】
【特許文献１】中国実用新案公告第２０６２８０８５１号明細書
【発明の概要】
【発明が解決しようとする課題】
【０００４】
本発明は、低コストで透明なランプホルダ−シーリングライトアセンブリを用いて電源コネクタと螺合するシーリングライトを提供することを一つの目的とする。本発明は、また、ランプホルダ−シーリングライトアセンブリの導電係止部材を導電性の電源コネクタの螺合溝に係入して、回り止め係止アセンブリによってランプホルダをロックするシーリングライトの電気的接続及び組立方法を提供することを他の目的とする。
【課題を解決するための手段】
【０００５】
本発明は、上記の課題を解決するために、互いに係止されるランプホルダとカバーとを含むシーリングライトを提供する。前記ランプホルダには、天井上の電源コネクタに螺合されるシーリングライトアセンブリが設けられ、前記シーリングライトアセンブリは、電源接続用内側固定部材と、前記電源接続用内側固定部材に外嵌され、前記電源接続用内側固定部材をランプホルダに固定するための電源接続用外側固定部材と、前記電源接続用内側固定部材と前記電源接続用外側固定部材との空間に内蔵される回り止め係止アセンブリと、前記電源接続用内側固定部材の貫通孔から延出し、前記電源コネクタの螺合溝内に係止される係止部材と、を備えることを特徴とする。
【０００６】
好ましくは、前記電源接続用外側固定部材は、ケースと、前記ケースの窪み部の底面に凹設され、前記電源接続用内側固定部材の溝に適合する異形溝と、外側に突出するように前記電源接続用外側固定部材に設けられ、前記回り止め係止アセンブリを位置決めするための円柱溝と、前記ケースの縁部からそれぞれ対称的に外側へ延伸して形成されるねじ孔付きの取付けパネルと、を備える。
【０００７】
好ましくは、前記電源接続用内側固定部材は、パネルと、パネルに凹設される長方形の溝と、溝の１つの短辺において長辺に沿って成形される切欠き部と、切欠き部のザグリ穴に隣接する端に設けられる斜面と、切欠き部及びその対向端にそれぞれ開設され、前記係止部材を挿通するための貫通孔と、斜面の部位に位置するパネルの底面に凹設され、回り止め係止アセンブリを固設するためのザグリ穴及び対応するロック機構と、パネルの底面から外周に突出するリング状フレームと、貫通孔の付近のパネルの底面にそれぞれ設けられ、係止部材を固定するためのスタッドと、パネルの縁部からそれぞれ径方向に沿って外側に延伸して形成される対称なＵ状孔付きの取付けパネルと、を備える。
【０００８】
好ましくは、前記ロック機構は、前記パネルの底面のザグリ穴の外周に沿って突出し環状となる円弧部材と、各円弧部材同士の間の係止溝と、隣接する係止溝の１つの端壁に設けられる拡径シュート壁と、円弧部材よりも高くなるようにシュート壁の外側に突出して形成される補強リブと、を備える。
【０００９】
好ましくは、前記回り止め係止アセンブリは、柱体と、柱体の一端において径方向に突出して形成されるネックリング体と、ネックリング体の径方向において外側に突出して形成され、前記ロック機構の係止溝内に係止される凸歯と、ネックリング体の軸方向に突出して形成され、前記電源接続用内側固定部材のザグリ穴に係止される段状５角体と、柱体に外嵌されるばねと、柱体の端部の芯軸孔内に螺着されるねじと、柱体の端部に沿って柱体に外嵌されるハンドルと、を備える。
【００１０】
好ましくは、前記係止部材は、ねじ孔付きのベース部材と、ベース部材の一端に設けられる垂直部材と、垂直部材の端部をベース部材とは逆の方向に垂直に湾曲させて形成される係合部材と、を備える。
【００１１】
本発明の他の形態は、前記シーリングライトの電気的接続及び組立方法であって、具体的には、
（１）ロックするとき、ランプホルダ上のシーリングライトアセンブリの１対の導電係止部材を電源コネクタの円弧形状のナイフハンドルのような形の螺合溝に挿入して溝の細端まで回転させ、電源が接続され、回り止め係止アセンブリの凸歯をロック機構の係止溝内に係止させることで、ランプホルダをロックすること、及び、
（２）アンロックするとき、回り止め係止アセンブリの凸歯がロック機構の係止溝から離脱するように回り止め係止アセンブリのハンドルを引き、ランプホルダ上のシーリングライトの１対の導電係止部材を溝の細端から溝の太端まで回転させることで、ランプホルダを電源コネクタから離脱させること、を含むことを特徴とする。
【発明の効果】
【００１２】
従来の技術と比べ、本発明は、次の有益な効果を有する。
（１）シーリングライトアセンブリがランプホルダに内蔵されているため、従来に用いられるコストの高い電源コネクタ連結用部材の必要がなくなり、コストを大幅に削減できる。
（２）ランプホルダ内のシーリングライトアセンブリにおいては、少数の導電性部材以外に、全て透明な部材であるため、ロック操作とアンロック操作は、いずれも観察しながら行うことができる。
（３）照明器具の固定と電気的接続を一度に完了できるため、取付けの手順を簡素化することができる。
【図面の簡単な説明】
【００１３】
【図１】本発明のシーリングライトの概略図である。
【図２】図１の部分拡大図である。
【図３】本発明の電源コネクタの概略図である。
【図４】本発明の回り止め係止アセンブリの概略図である。
【図５】特定の角度から見た本発明のシーリングライトの分解図である。
【図６】別の角度から見た本発明のシーリングライトの分解図である。
【発明を実施するための形態】
【００１４】
以下、図面を参照しながら、本発明についてさらに詳しく説明する。
図１、図２に示すように、本発明のシーリングライトは、互いに係止されるランプホルダ１とカバー４とを含み、ランプホルダ１には、天井上の電源コネクタ３に螺合されるシーリングライトアセンブリ２が設けられ、シーリングライトアセンブリ２は、電源接続用内側固定部材２１と、電源接続用内側固定部材２１に外嵌され、電源接続用内側固定部材２１をランプホルダ１に固定するための電源接続用外側固定部材２２と、電源接続用内側固定部材２１と電源接続用外側固定部材２２の空間に内蔵される回り止め係止アセンブリ２３と、電源接続用内側固定部材２１の貫通孔２１５から延出し、電源コネクタ３の螺合溝３１内に係止される係止部材２４とを備える。
【００１５】
図１、図２、図５に示すように、電源接続用外側固定部材２２は、ケース２２１と、ケースの窪み部２２２と、ケースの窪み部２２２の底面に凹設され、電源接続用内側固定部材２１の溝２１２に適合する異形溝２２３と、外側に突出するように電源接続用外側固定部材２２に設けられ、回り止め係止アセンブリ２３を位置決めするための円柱溝２２４と、ケース２２１の縁部からそれぞれ対称的に外側へ延伸して形成される対称なねじ孔２２５１付きの取付けパネル２２５とを備える。
【００１６】
図１、図２、図４、図５に示すように、電源接続用内側固定部材２１は、パネル２１１と、パネル２１１に凹設される長方形の溝２１２と、溝２１２の１つの短辺において長辺に沿って成形される切欠き部２１３と、切欠き部２１３のザグリ穴２１９に隣接する端に設けられる斜面２１４と、切欠き部２１３及びその対向端にそれぞれ開設され、係止部材２４を挿通するための貫通孔２１５と、斜面２１４の部位に位置するパネル２１１に凹設され、回り止め係止アセンブリ２３を固設するためのザグリ穴２１９及び対応するロック機構２１６と、パネル２１１の底面から外周に突出するリング状フレーム２１７１と、貫通孔２１５の付近のパネル２１１の底面にそれぞれ設けられ、係止部材２４を固定するためのスタッド２１７２と、パネル２１１の縁部からそれぞれ径方向に沿って外側に延伸して形成される対称なＵ状孔２１８１付きの取付けパネル２１８とを備える。
【００１７】
図２、図６に示すように、ロック機構２１６は、パネル底面のザグリ穴２１９の外周に沿って突出し環状となる円弧部材２１６１と、各円弧部材２１６１同士の間の係止溝２１６２と、隣接する係止溝２１６２の１つの端壁に設けられる拡径シュート壁２１６３と、円弧部材２１６１よりも高くなるようにシュート壁の外側に突出して形成される補強リブ２１６４とを備える。
【００１８】
図２、図４、図６に示すように、回り止め係止アセンブリ２３は、柱体２３１と、柱体２３１の一端において径方向に突出するネックリング体２３２と、ネックリング体２３２から径外方向に突出して形成され、ロック機構２１６の係止溝２１６２内に係止される凸歯２３３と、ネックリング体２３２から軸方向に突出して形成され、電源接続用内側固定部材２１のザグリ穴２１９に係止される段状５角体２３４と、柱体２３１に外嵌されるばね２３５と、柱体２３１の端部の芯軸孔内に螺着されるねじ２３６と、柱体２３１の端部に沿って柱体２３１に外嵌されるハンドル２３７とを備える。
【００１９】
図２、図５、図６に示すように、係止部材２４は、ねじ孔２４１１付きのベース部材２４１と、ベース部材２４１の一端に設けられる垂直部材２４２と、垂直部材２４２の端部をベース部材２４１とは逆の方向に垂直に湾曲させて形成される係合部材２４３とを備える。
【００２０】
図１〜図６に示すように、本発明のシーリングライトの電気的接続及び組立方法は、具体的に、
（１）ロックするとき、ランプホルダ１上のシーリングライトアセンブリ２の１対の導電係止部材２４を電源コネクタ３の円弧形状のナイフハンドルのような形の螺合溝３１に挿入して溝の細端３１１まで回転させ、電源が接続され、回り止め係止アセンブリ２３の凸歯２３３をロック機構２１６の係止溝２１６２に係止させることで、ランプホルダ１をロックすること、及び
（２）アンロックするとき、回り止め係止アセンブリ２３の凸歯２３３がロック機構２１６の係止溝２１６２から離脱するように回り止め係止アセンブリ２３のハンドル２３７を引き、ランプホルダ１上のシーリングライト２の１対の導電係止部材２４を溝の細端３１１から溝の太端３１２まで回転させることで、ランプホルダ１を電源コネクタ３から離脱させること、を含む。
【００２１】
以上に説明されたのは本発明の好ましい実施例に過ぎず、本発明の特許請求の範囲に基づいて行う同等の変更や修飾などは、いずれも本発明の特許請求の範囲に含まれるものとする。
【符号の説明】
【００２２】
１  ランプホルダ
２  シーリングライトアセンブリ
２１  電源接続用内側固定部材
２１１  パネル
２１２  溝
２１３  切欠き部
２１４  斜面
２１５  貫通孔
２１６  ロック機構
２１６１  円弧部材
２１６２  係止溝
２１６３  シュート壁
２１６４  補強リブ
２１７１  リング状フレーム
２１７２  スタッド
２１８  取付けパネル
２１８１  Ｕ状孔
２１９  ザグリ穴
２２  電源接続用外側固定部材
２２１  ケース
２２２  ケースの窪み部
２２３  異形溝
２２４  円柱溝
２２５  取付けパネル
２２５１  ねじ孔
２３  回り止め係止アセンブリ
２３１  柱体
２３２  ネックリング体
２３３  凸歯
２３４  ５角体
２３５  ばね
２３６  ねじ
２３７  ハンドル
２４  係止部材
２４１  ベース部材
２４１１  ねじ孔
２４２  垂直部材
２４３  係合部材
３  電源コネクタ
３１  螺合溝
３１１  溝の細端
３１２  溝の太端
４  カバー
【図１】
2019207776.tif 000003
【図２】
2019207776.tif 000004
【図３】
2019207776.tif 000005
【図４】
2019207776.tif 000006
【図５】
2019207776.tif 000007
【図６】
2019207776.tif 000008
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
互いに係止されるランプホルダとカバーとを含むシーリングライトであって、
前記ランプホルダには、天井上の電源コネクタに螺合されるシーリングライトアセンブリが設けられ、
前記シーリングライトアセンブリは、
電源接続用内側固定部材と、
前記電源接続用内側固定部材に外嵌され、前記電源接続用内側固定部材をランプホルダに固定するための電源接続用外側固定部材と、
前記電源接続用内側固定部材と前記電源接続用外側固定部材との空間に内蔵される回り止め係止アセンブリと、
前記電源接続用内側固定部材の貫通孔から延出し、前記電源コネクタの螺合溝内に係止される係止部材と、を備え、
前記電源接続用外側固定部材は、
ケースと、
前記ケースの窪み部の底面に凹設され、前記電源接続用内側固定部材の溝に適合する異形溝と、
外側に突出するように前記電源接続用外側固定部材に設けられ、前記回り止め係止アセンブリを位置決めするための円柱溝と、
前記ケースの縁部からそれぞれ対称的に外側へ延伸して形成されるねじ孔付きの取付けパネルと、を備えることを特徴とするシーリングライト。
【請求項２】
前記電源接続用内側固定部材は、
パネルと、
前記パネルに凹設される長方形の溝と、
前記溝の１つの短辺において長辺に沿って成形される切欠き部と、
前記切欠き部のザグリ穴に隣接する端に設けられる斜面と、
前記切欠き部及びその対向端にそれぞれ開設され、前記係止部材を挿通するための貫通孔と、
前記斜面の部位に位置する前記パネルに凹設され、前記回り止め係止アセンブリを固設するためのザグリ穴及び対応するロック機構と、
前記パネルの底面から外周に突出するリング状フレームと、
前記貫通孔の付近の前記パネルの底面にそれぞれ設けられ、前記係止部材を固定するためのスタッドと、
前記パネルの縁部からそれぞれ径方向に沿って外側に延伸して形成される対称なＵ状孔付きの取付けパネルと、を備えることを特徴とする請求項１に記載のシーリングライト。
【請求項３】
前記ロック機構は、
前記パネルの底面の前記ザグリ穴の外周に沿って突出し環状となる円弧部材と、
各前記円弧部材同士の間の係止溝と、
隣接する前記係止溝の１つの端壁に設けられる拡径シュート壁と、
前記円弧部材よりも高くなるように前記シュート壁の外側に突出して形成される補強リブと、を備えることを特徴とする請求項２に記載のシーリングライト。
【請求項４】
前記回り止め係止アセンブリは、
柱体と、
前記柱体の一端において径方向に突出して形成されるネックリング体と、
前記ネックリング体から径外方向に突出して形成され、前記ロック機構の前記係止溝内に係止される凸歯と、
前記ネックリング体から軸方向に突出して形成され、前記電源接続用内側固定部材の前記ザグリ穴に係止される段状５角体と、
前記柱体に外嵌されるばねと、
前記柱体の端部の芯軸孔内に螺着されたねじと、
前記柱体の端部に沿って前記柱体に外嵌されるハンドルと、を備えることを特徴とする請求項３に記載のシーリングライト。
【請求項５】
前記係止部材は、
ねじ孔付きのベース部材と、
前記ベース部材の一端に設けられる垂直部材と、
前記垂直部材の端部を前記ベース部材とは逆の方向に垂直に湾曲させて形成される係合部材と、を備えることを特徴とする請求項１に記載のシーリングライト。
【請求項６】
請求項１に記載のシーリングライトの電気的接続及び組立方法であって、
（１）ロックするとき、ランプホルダ上のシーリングライトアセンブリの１対の導電係止部材を電源コネクタの円弧形状のナイフハンドルのような形の螺合溝に挿入して溝の細端まで回転させ、電源が接続され、回り止め係止アセンブリの凸歯をロック機構の係止溝内に係止させることで、ランプホルダをロックすること、及び、
（２）アンロックするとき、回り止め係止アセンブリの凸歯がロック機構の係止溝から離脱するように回り止め係止アセンブリのハンドルを引き、ランプホルダ上のシーリングライトアセンブリの１対の導電係止部材を溝の細端から溝の太端まで回転させることで、ランプホルダを電源コネクタから離脱させること、を含むことを特徴とするシーリングライトの電気的接続及び組立方法。